(57)【要約】【課題】フィルタを移動させて該フィルタを自動で掃除し得るようにした空気調和機において、従来ではフィルタの脱着作業が面倒であった。【解決手段】空調機構Ｘとフィルタの掃除機構Ｙを備え、さらに該掃除機構Ｙとして、第１及び第２の各プーリ１１，１２の間にベルト１０を掛け回したベルトユニットＵを有し、且つフィルタ１３の背面に設けた係合突起４８をベルト１０に設けた係合穴４７に係脱自在に係合させた状態でベルトユニットＵを作動させることによりフィルタ１３をベルト１０と共に移動させ得るようにしているものを採用した空気調和機において、各プーリ１１，１２におけるベルト１０の係合穴４７が対応する位置に、係合突起４８の先側が係合穴４７を貫通して進入し得る凹部５１を設けていることにより、係合突起４８を係合穴４７に対して確実に係合し得るようにしている。【選択図】  図４
2008089210.tif 000002
【特許請求の範囲】
【請求項１】
ケーシング（１）に形成された吸込口（３）から吹出口（４）に至る通風路内に、熱交換器（７）及びファン（８）と、上記吸込口（３）の内面に沿って配置された矩形板状のフィルタ（１３）のフィルタ面を掃除する掃除機構（Ｙ）を備え、さらに上記掃除機構（Ｙ）として、第１及び第２の各プーリ（１１，１２）の間にベルト（１０）を掛け回したベルトユニット（Ｕ）を有し、且つ上記フィルタ（１３）の背面に係合突起（４８）を設けている一方、上記ベルト（１０）に上記係合突起（４８）を係脱自在に係合させ得る係合穴（４７）を設けて、上記係合突起（４８）を上記係合穴（４７）に係合させた状態で上記ベルトユニット（Ｕ）を作動させることにより上記フィルタ（１３）を上記ベルト（１０）と共に移動させ得るものを採用した空気調和機であって、
上記各プーリ（１１，１２）における上記ベルト（１０）の係合穴（４７）が対応する位置に、該係合穴（４７）を貫通した上記係合突起（４８）の先側が進入し得る凹部（５１）を設けている、
ことを特徴とする空気調和機。
【請求項２】
上記請求項１において、上記各プーリ（１１，１２）にそれぞれ歯付きプーリを使用している一方、上記ベルト（１０）に上記歯付きプーリに噛み合う歯付きベルトを使用していることを特徴とする空気調和機。
【請求項３】
上記請求項１又は２において、上記各プーリ（１１，１２）に設けた凹部（５１）として環状凹溝を採用している一方、上記各プーリ（１１，１２）の環状凹溝（５１）がプーリ幅の両端間に設けられていて、該環状凹溝（５１）の両側のベルト掛け面に跨がって上記ベルト（１０）が掛け回されていることを特徴とする空気調和機。
【請求項４】
上記請求項１、２又は３において、上記各プーリ（１１，１２）の凹部（５１）がそれぞれプーリ幅方向のいずれか一端側に偏位していることを特徴とする空気調和機。
【請求項５】
上記請求項３において、上記各プーリ（１１，１２）は、上記凹部（５１）の形成部分でプーリ幅方向に２分割された各分割プーリ（１１Ａ，１１Ｂ又は１２Ａ，１２Ｂ）を合体させたものを使用していることを特徴とする空気調和機。
【発明の詳細な説明】
【技術分野】
【０００１】
本願発明は、空調機構とフィルタの掃除機構を備えた空気調和機に関するものである。
【背景技術】
【０００２】
空気調和機においては、ファンにより吸込口から吸い込んだ室内空気を熱交換器で冷却又は加熱して室内へ返流させるが、吸い込み空気中に浮遊する塵埃を吸込口の内面側に設けたフィルタで捕集し得るようになっている。そして、フィルタ前面に塵埃が堆積すると、通風抵抗が大きくなって空調機能が低下するとともに、消費電力が増大する。
【０００３】
そこで、従来から、フィルタを自動的に掃除する掃除機構を備えた空気調和機が知られている（例えば、特許文献１、特許文献２参照）。
【０００４】
特許文献１（特開２００１−９９４７９号公報）に示される空気調和機のフィルタ掃除機構は、一方のローラに巻回されている帯状フィルタを他方のローラに巻取ることで該フィルタを移動させ、その過程においてブラシをフィルタの塵埃付着面に接触させることによって、該フィルタを自動で掃除し得るように構成されている。
【０００５】
特許文献２（実開昭６２−１４５０１９号公報）に示される空気調和機のフィルタ掃除機構は、環状（エンドレス）のフィルタを一対のローラに掛け回し、該ローラを回転させることで環状フィルタを移動させ、その過程においてブラシをフィルタの塵埃付着面に接触させることによって、該フィルタを自動で掃除し得るように構成されている。
【０００６】
【特許文献１】特開２００１−９９４７９号公報
【特許文献２】実開昭６２−１４５０１９号公報
【発明の開示】
【発明が解決しようとする課題】
【０００７】
ところが、上記各公知例（特許文献１、特許文献２）のフィルタ掃除機構では、フィルタの汚れを自動で掃除できるものの、該フィルタが直接ローラ（巻取りローラ又は掛け回しローラ）に取付けられているので、自動掃除機能だけでは十分に汚れを除去できない場合や、フィルタの交換時等に、該フィルタの脱着作業が面倒となり、メンテナンス性が悪いという問題があった。
【０００８】
そこで、本願発明者は、そのような問題を解決するために、フィルタそのものを曲げ変形可能な可撓性の高い構造体とし、該フィルタを空気調和機本体の前面から上面等の吸気面に沿って往復移動自在に支持する第１、第２のプーリとこれらのプーリ間に巻回されたベルトよりなるフィルタの巻き込み巻き戻し機構を設け、さらに該巻き込み巻き戻し機構の巻き込み位置に対応して塵埃の掃除ブラシを備えたダストボックスを着脱可能に設置することにより、ダストボックス等を移動させることなくフィルタに付着した塵埃等を自動的に除去できるようにしたフィルタ掃除機構を開発しようとしている。
【０００９】
そのような構成（上記フィルタ掃除機構）を採用した場合、上記フィルタをベルトの外周に巻きつける際のフィルタ固定方法として、フィルタとベルトのいずれか一方に凸部（係合突起）を設け、その他方に凹部（係合穴）を設けて、その凸部と凹部とを係合させることで、フィルタをベルト外周に固定することができる。
【００１０】
ところが、上記フィルタ固定方法として、ベルトの外側に凸部を設けフィルタ側に凹部を設ける場合は、ベルトの凸部の干渉を避けるためにフィルタガイドのサイズが大きくなり、製品のコンパクト化の妨げになる。又、フィルタ側に凸部を設けベルトに凹部を設ける場合は、該凸部を該凹部に対して有効な係合状態を維持するために、該凸部の凹部に対する係合深さを十分に確保する必要があるが、その場合、ベルトの厚さを厚くするには限界があり、他方、該凸部をベルト側の凹部に深く進入させようとすると、該凸部がプーリ外周面に干渉してしまうという問題が生じる。
【００１１】
そこで本願発明は、フィルタの汚れを自動で掃除し得る掃除機構を備えた空気調和機において、ベルト機構によるフィルタ移動構造を採用することにより、フィルタの脱着を容易に行えるようにする一方、そのようにフィルタの脱着を容易に行えるようにしたものであっても、フィルタ掃除時にフィルタ側の凸部（係合突起）がプーリ外周面に干渉しない状態で該フィルタを確実に移動させ得るようにすることを目的としてなされたものである。
【課題を解決するための手段】
【００１２】
本願発明は、上記課題を解決するための手段として次の構成を採用している。尚、本願発明は、フィルタ掃除機構を備えた空気調和機を対象にしている。
【００１３】
本願の第１発明
本願の第１発明の空気調和機は、添付図面に示すように、ケーシング１に形成された吸込口３から吹出口４に至る通風路内に、熱交換器７及びファン８と、吸込口３の内面に沿って配置された矩形板状のフィルタ１３のフィルタ面を掃除する掃除機構Ｙを備えて構成されている。
【００１４】
上記掃除機構Ｙは、第１及び第２の各プーリ１１，１２の間にベルト１０を掛け回したベルトユニットＵを有し、且つフィルタ１３の背面に係合突起４８を設けている一方、上記ベルト１０に上記係合突起４８を係脱自在に係合させ得る係合穴４７を設けて、係合突起４８を係合穴４７に係合させた状態でベルトユニットＵを作動させることによりフィルタ１３をベルト１０と共に移動させ得るようにしたものである。
【００１５】
そして、この本願の第１発明では、各プーリ１１，１２におけるベルト１０の係合穴４７が対応する位置に、該係合穴４７を貫通した上記係合突起４８の先側が進入し得る凹部５１を設けている。
【００１６】
この第１発明では、各プーリ１１，１２及びベルト１０からなるベルトユニットＵを左右一対設けて、該各ベルトユニットＵの各ベルト１０にフィルタ１３の左右両側縁部を係合させるようにすることができる。
【００１７】
又、この第１発明では、ベルトユニットＵとして、平ベルト構造のものを採用することができるが、その場合、ベルトがプーリのベルト掛け面に対して滑らないようにする工夫を施すとよい。
【００１８】
フィルタ１３には、その背面に係合突起４８を設けているが、上記のように左右一対のベルトユニットＵを使用した場合には、該係合突起４８をフィルタ１３の左右両側縁部にそれぞれ形成する。
【００１９】
又、フィルタ１３の背面に係合突起４８を複数個設ける場合には、該各係合突起４８を所定ピッチで設けるとともに、ベルトユニットＵのベルト１０にも該各係合突起４８と同ピッチで複数個の係合穴４７を設ける。
【００２０】
吸込口３には前面パネルが開閉自在に取付けられており、フィルタ１３を取り出すときには、該前面パネルを開放させた状態で、フィルタ１３の下端部を摘まんで外側に引きながら（係合突起４８を係合穴４７から外しながら）ベルトユニットＵをフィルタ排出側（下動側）に作動させることで、該フィルタ１３を外部に取り出すことができる。尚、フィルタ１３を装着するには、フィルタ１３の係合突起４８をベルトユニットＵ（ベルト１０）の係合穴４７に係入させた状態で、ベルトユニットＵをフィルタ引き込み側に作動させることで、該フィルタ１３を装着位置まで引き込めるようになっている。
【００２１】
そして、この第１発明の空気調和機において、装着状態にあるフィルタ１３を掃除するときには、フィルタ１３をベルトユニットＵの前面にセットした状態（上記係合突起４８が係合穴４７内に係入している）で、ベルトユニットＵを作動させる。この場合、ベルトユニットＵは、フィルタ下動側に作動して該フィルタ１３を下動させるが、その過程においてブラシ等の掃除部材がフィルタ１３の表面（塵埃付着面）に接触して、フィルタ１３に付着している汚れを掻き落とすようになっている。
【００２２】
ところで、ベルトユニットＵのベルト１０は比較的薄いものであり（従って係合穴４７も比較的浅い）、もし係合穴４７がプーリ外周面に接触する位置にあると、該係合穴４７に係入するフィルタ１３側の係合突起４８の先端がプーリ外周面に衝突するので、該係合突起４８の係合穴４７に対する係入深さが非常に浅いものとなり、該係合突起４８の係合穴４７に対する係合機能が小さくなる（係合突起４８が係合穴４７から外れ易くなる）。
【００２３】
そこで、本願では、各プーリ１１，１２におけるベルト１０の係合穴４７が対応する位置に、該係合穴４７を貫通した係合突起４８の先端を進入させ得る凹部５１を設けており、係合穴４７に係入する係合突起４８が各プーリ１１，１２のベルト掛け面に対面する位置でも該係合突起４８がプーリ１１，１２に衝合しないようにしている。
【００２４】
従って、本願では、フィルタ１３側の係合突起４８をベルト１０の係合穴４７に対して十分な係合機能が発揮できる深さ（係合突起４８の先端がプーリ１１，１２の凹部５１内に進入する位置）まで進入させることができる。
【００２５】
本願の第２発明
本願の第２発明は、上記第１発明の空気調和機において、各プーリ１１，１２にそれぞれ歯付きプーリを使用する一方、ベルト１０に上記歯付きプーリに噛み合う歯付きベルトを使用していることを特徴としている。尚、歯付きベルト１０は、所謂「タイミングベルト」と称されるものである。
【００２６】
このように、ベルトユニットＵのプーリ１１，１２とベルト１０にそれぞれ歯付きのものを使用すると、プーリとベルト間の滑りがなくなり、駆動側プーリと従動側プーリを確実に同期回転させることができる。又、例えば、ベルトユニットＵを左右一対使用したものでは、プーリとベルト間の滑りがないので、各側のベルト１０を確実に同期走行させることができる。
【００２７】
本願の第３発明
本願の第３発明は、上記第１発明又は第２発明の空気調和機において、各プーリ１１，１２に設けた凹部５１として環状凹溝を採用している一方、各プーリ１１，１２の環状凹溝５１がプーリ幅の両端間に設けられていて、該環状凹溝５１の両側のベルト掛け面に跨がってベルト１０が掛け回されていることを特徴としている。尚、ここでいうプーリ幅の両端間とは、該プーリの軸方向両端間の適宜の位置であり、プーリ幅の中央部であってもプーリ幅の一端側に偏位した位置であってもよい。
【００２８】
この第３発明のように、各プーリ１１，１２のベルト掛け面に係合突起４８の先端側を進入させ得る凹部として環状凹溝５１を採用したものでは、該環状凹溝５１部分にベルト１０が接触しないが、該環状凹溝５１をプーリ幅の中間部に設けると、ベルト１０の幅方向両端部が各プーリ１１，１２のベルト掛け面に確実に接触するようになる。
【００２９】
本願の第４発明
本願の第４発明は、上記第１発明、第２発明又は第３発明の空気調和機において、上記各プーリ１１，１２の凹部５１をそれぞれプーリ幅方向のいずれか一端側に偏位させていることを特徴としている。
【００３０】
この第４発明の場合は、各プーリ１１，１２の凹部５１の形成位置に合わせて、ベルト１０に形成される各係合穴４７もベルト幅の一端寄りに偏位させた位置に形成する。
【００３１】
この第４発明のように、各プーリ１１，１２の凹部５１をプーリ幅方向の一端側に偏位させたベルトユニットＵを左右一対使用する場合には、プーリ１１，１２における凹部５１が近接する側の端面が相互に対面する状態（左右各側の凹部５１が近接する状態）で設置する。このようにすると、フィルタ１３の左右各側縁部に設けられる各側の係合突起４８がベルト幅の内側寄り位置に係入するようになり、該フィルタ１３の左右各側縁部と各ベルト１０との重合幅を小さくできる。
【００３２】
本願の第５発明
本願の第５発明は、上記第３発明の空気調和機において、各プーリ１１，１２は、環状凹溝５１の形成部分でプーリ幅方向に２分割された各分割プーリ１１Ａ，１１Ｂ（又は１２Ａ，１２Ｂ）を合体させたものを使用していることを特徴としている。
【００３３】
この第５発明のように、各プーリ１１，１２を環状凹溝５１部分で２分割したものでは、プーリ１１，１２に環状凹溝５１を形成したものにおいて、該環状凹溝５１を一方の分割プーリの端面に形成することができる。
【発明の効果】
【００３４】
本願発明では次のような効果が得られる。
【００３５】
本願の第１発明の効果
本願の第１発明の空気調和機では、フィルタの掃除機構Ｙとして、フィルタ１３側に設けた係合突起４８をベルトユニットＵのベルト１０に設けた係合穴４７に係入させた状態でベルトユニットＵを作動させることによりフィルタ１３を移動させるようにしたものを採用しているが、フィルタ１３側の係合突起４８はベルト１０側の係合穴４７に対して係脱自在である。
【００３６】
従って、この第１発明では、フィルタ自動掃除機構を備えたものであっても、上記係合突起４８を係合穴４７から外すことによってフィルタ１３をベルトユニットＵに対して簡単に着脱できるという効果がある。即ち、公知例の特許文献１（フィルタ巻取り式）及び特許文献２（環状フィルタ）にように、フィルタの脱着作業が面倒であるという問題を解消できる。
【００３７】
又、ベルトユニットＵにおける各プーリ１１，１２のベルト掛け面に、フィルタ１３側の係合穴４７の先端が進入し得る凹部５１を設けているので、係合穴４７に係入する係合突起４８が各プーリ１１，１２のベルト掛け面に対面する位置でも該係合突起４８がプーリ１１，１２に衝合しない。
【００３８】
従って、この第１発明では、フィルタ１３側の係合突起４８をベルト１０の係合穴４７に対して十分な係合機能が発揮できる深さまで進入させることができ、係合突起４８を係合穴４７に係入してフィルタ１３を移動させるようにしたであっても、該係合突起４８が係合穴４７から外れないので、フィルタ１３を確実に移動させることができるという効果がある。
【００３９】
本願の第２発明の効果
本願の第２発明は、上記第１発明の空気調和機において、ベルトユニットＵとして、各プーリ１１，１２にそれぞれ歯付きプーリを使用する一方、ベルト１０に上記歯付きプーリに噛み合う歯付きベルトを使用したものを採用している。
【００４０】
従って、この第２発明では、上記第１発明の効果に加えて、歯の噛み合いによりプーリ１１，１２とベルト１０間の滑りがなくなり、駆動側プーリと従動側プーリを確実に同期回転させることができるという効果がある。又、例えば、ベルトユニットＵを左右一対使用したものでは、プーリとベルト間の滑りがないので、各側のベルト１０を確実に同期走行させることができ、その結果、各側のベルト１０に係合されて移動するフィルタ１３に捩れが生じない（該フィルタ１３を常に正常姿勢で移動させることができる）という効果がある。
【００４１】
本願の第３発明の効果
本願の第３発明は、上記第１又は第２の各発明の空気調和機において、各プーリ１１，１２の凹部５１として環状凹溝を採用する一方、該環状凹溝５１がプーリ幅の両端間に設けられていて、該環状凹溝５１の両側のベルト掛け面に跨がってベルト１０が掛け回されているので、ベルト１０の幅方向両端部が各プーリ１１，１２のベルト掛け面に確実に接触するようになる。
【００４２】
従って、この第３発明では、上記第１又は第２発明の効果に加えて、各プーリ１１，１２のベルト掛け面に環状凹溝５１を形成したものであっても、ベルト１０を各プーリ１１，１２に安定状態で巻き掛けることができるという効果がある。
【００４３】
本願の第４発明の効果
本願の第４発明は、上記第１〜第３発明の空気調和機において、各プーリ１１，１２の凹部５１をプーリ幅方向のいずれか一端側に偏位させている。そして、例えば、このベルトユニットＵを左右一対使用する場合には、プーリ１１，１２における凹部５１が近接する側の端面が相互に対面する状態で各ベルトユニットＵを設置する。このようにすると、フィルタ１３の左右各側縁部に設けられる各側の係合突起４８がベルト幅の内側寄り位置に係入するようになり、該フィルタ１３の左右各側縁部と各ベルト１０との重合幅を小さくできる。
【００４４】
従って、この第４発明では、上記第１〜第３発明の効果に加えて、一対のベルトユニットＵを使用してフィルタ１３の左右各側縁部を左右のベルト１０に接合させる場合には、ベルト幅で塞がれるフィルタ１３の重合面積を小さくでき、その結果、フィルタ１３の実質有効フィルタ面積を大きくとることができるという効果がある。
【００４５】
本願の第５発明の効果
本願の第５発明は、上記第３発明の空気調和機において、各プーリ１１，１２は、環状凹溝５１の形成部分でプーリ幅方向に２分割された各分割プーリ１１Ａ，１１Ｂ、１２Ａ，１２Ｂを合体させたものを使用している。このようにすると、各プーリ１１，１２のベルト掛け面に環状凹溝５１を形成したものであっても、該環状凹溝５１を一方の分割プーリの端面に形成することができる。
【００４６】
従って、この第５発明では、上記第３発明の効果に加えて、プーリ幅の中間部に環状凹溝５１を形成したものであっても該環状凹溝５１の加工が簡単となるという効果がある。特に、プーリとして歯付きプーリを採用したものでは、プーリ幅の中間部に環状凹溝５１を加工するのが面倒であるが、この第５発明のようにプーリを２分割して、その一方の端面に環状凹溝を形成する場合には、歯付き面であっても環状凹溝の加工が容易となる。
【発明を実施するための最良の形態】
【００４７】
以下、本願発明の好適な実施形態を添付図面に基いて説明する。
【００４８】
図１及び図２には、本願発明の実施形態に係る空気調和機Ｚが示されている。この空気調和機Ｚは、セパレート型空気調和機の室内機であって、室内壁面に取付けられる横長箱状のケーシング１を備えている。
【００４９】
上記ケーシング１の前面壁１Ａと天面壁１Ｂには、それぞれ前面吸込口３Ａと上面吸込口３Ｂが設けられている。又、上記前面吸込口３Ａの前面側には、前面パネル２が設けられている。
【００５０】
この前面パネル２は、図１及び図２においてそれぞれ実線図示するように、前面吸込口３Ａに接近して該前面吸込口３Ａを目隠しする閉位置と、同各図においてそれぞれ鎖線図示するように、上記閉位置から下方へ移動しつつその上端側を前方へ押し出した前傾状態の開位置の間で開閉可能とされ、該開位置において前面吸込口３Ａ（図２参照）を開口するように構成されている。
【００５１】
又、ケーシング１の底面壁１Ｃの前後方向中間位置には、横長開口状の吹出口４が設けられているとともに、該吹出口４には水平フラップ４４と垂直フラップ４５が備えられている。
【００５２】
さらに、ケーシング１の吹出口４よりも前方側で、且つ前面壁１Ａの下端に近接する位置に設けた収納部３０内には、後述するダストボックス２０を備えた掃除ブラシ１７が装着されている。この掃除ブラシ１７は、図２に示すように、ブラシ軸１８の外周面の周方向の４位置に、該ブラシ軸１８の軸方向へ延出するようにしてそれぞれブラシ１９を取付けて構成されている。
【００５３】
そして、図２に示すように、ケーシング１内の吸込口３から吹出口４に至る通風路には熱交換器７とファン８が収容され、これらによって空調機構Ｘが構成されている。尚、熱交換器７は、吸込口３に離間対向して上下方向へ延びる第１熱交換器７Ａと、該第１熱交換器７Ａの上端に連結されてここから背面壁１Ｅ側へ下降傾斜する第２熱交換器７Ｂとからなる略山形の屈曲形体を有している。
【００５４】
一方、ケーシング１の前面吸込口３Ａと第１熱交換器７Ａの前面との間の前面側スペースと、第１熱交換器７Ａと第２熱交換器７Ｂの上部と上面吸込口３Ｂとの間の上面側スペースには、これら両スペースに跨って次述する掃除機構Ｙが配置されている。
【００５５】
上記掃除機構Ｙは、図２及び図３に示すように、反対勝手に形成された左右一対のケーシング体１４Ａ，１４Ｂを、その幅方向に連結一体化して構成されるものであって、この一体化状態において、ケーシング１の前面吸込口３Ａから上面吸込口３Ｂの内面に沿うように湾曲した側面視形体を有している。即ち、上記各ケーシング体１４Ａ，１４Ｂは、共に、湾曲した側面視形体をもつ左右一対の側壁部１５，１６とこれら各側壁部１５，１６の間を格子材で連結して一体化した枠状形体をもち、第１ケーシング体１４Ａの側壁部１６と第２ケーシング体１４Ｂの側壁部１６同士を衝合させた状態で連結することで掃除ユニットケーシング１４が構成されている。
【００５６】
又、各ケーシング体１４Ａ，１４Ｂの各側壁部１５，１６内側縁のうち、ケーシング１の上面吸込口３Ｂに対応する部分には、それぞれガイド溝１５ａ,１６ａが設けられている。一方、各ケーシング体１４Ａ，１４Ｂのうち、ケーシング１の前面吸込口３Ａに対応する前面部分のそれぞれには、これをその外側（前面側）から覆うようにして、枠状のフィルタ押さえ４３が、その上縁側を回動中心として前後方向へ回動可能に取付けられている。
【００５７】
そして、掃除ユニットケーシング１４の各ケーシング体１４Ａ，１４Ｂの前面側には、それぞれこれを覆うようにして、格子状の枠体１３ａの内側にフィルタ材１３ｂを張設してなる矩形板状のフィルタ１３，１３が配置される。この場合、各フィルタ１３，１３は、各ケーシング体１４Ａ，１４Ｂの上面側においては、その左右両縁部を一方の側壁部１５のガイド溝１５ａと他方の側壁部１６のガイド溝１６ａに嵌入させており、該各ガイド溝１５ａ、１６ａにガイドされて各ケーシング体１４Ａ，１４Ｂの湾曲方向に沿って移動可能とされている。又、フィルタ１３は、各ケーシング体１４Ａ，１４Ｂの前面部分においては、フィルタ押さえ４３によって浮き上がりが防止されるようになっている。
【００５８】
フィルタ１３の枠体１３ａは十分な可撓性を有している。そして、このフィルタ１３は、図６に示すように前面吸込口３Ａと上面吸込口３Ｂに跨がって配置される姿勢と、図７に示すように後述のベルトユニットＵのベルト１０の外周に巻付けられた姿勢との間で自由に変形し得るようになっている。
【００５９】
フィルタ１３は、図２及び図４に示すように、各ケーシング体１４Ａ，１４Ｂの前面部分において左右一対のベルトユニットＵ，Ｕを有する駆動機構によって上下方向に往復移動せしめられる。
【００６０】
ここで、フィルタ１３の駆動機構を更に詳しく説明すると、この駆動機構は、図４に示すように、上下方向に離間配置された第１プーリ１１と第２プーリ１２間にベルト１０を掛け回してベルトユニットＵを構成し、該ベルトユニットＵを２つ１組として左右に所定間隔（具体的には、上記ケーシング体１４Ａ，１４Ｂの略幅寸法）をもって対向配置している。又、一方のベルトユニットＵの第１プーリ１１と他方のベルトユニットＵの第１プーリ１１の間をローラ３３によって連結してこれを一体化するとともに、一方のベルトユニットＵの第２プーリ１２と他方のベルトユニットＵの第２プーリ１２の間を連結軸３８によって連結してこれを一体化している。そして、一方のベルトユニットＵの第１プーリ１１をフィルタ駆動モータ３１によって正転方法及び逆転方向へ選択的に回転駆動することで、上記各ベルトユニットＵ，Ｕにそれぞれ設けられた各ベルト１０，１０が同期して走行するようにしている。
【００６１】
尚、この実施形態では、ベルトユニットＵにおける第１プーリ１１と第２プーリ１２のうち、第１プーリ１１のみを駆動し、第２プーリ１２はベルト１０を介して第１プーリ１１によって駆動されるようにしているが、他の実施形態においては、図４に鎖線図示するように、第２プーリ１２を第１プーリ１１側とは独立して、フィルタ駆動モータ３２によって個別に駆動するように構成することもできる。
【００６２】
各ベルトユニットＵのベルト１０には、図４、図６〜図８に示すように、該ベルトの全長に亘って所定ピッチで複数個の係合穴４７，４７・・が形成されている。この各係合穴４７は、ベルト長さ方向に長軸をもつ長穴状に形成されている。
【００６３】
他方、フィルタ１３の枠材１３ａの左右両側部１３ｅ，１３ｆ（図４）の背面には、それぞれベルト１０側の係合穴４７，４７・・と同ピッチで複数個の係合突起４８，４８・・が設けられている。
【００６４】
そして、該フィルタ１３側の係合突起４８をベルト１０側の係合穴４７に係入させることで、フィルタ１３は各ベルト１０，１０と一体化され、該各ベルト１０，１０の往復走行に伴ってフィルタ１３を図６に示す位置（後述の「第１フィルタ位置」）と図７に示す位置（後述の「第２フィルタ位置」）の間で往復動されるようになっている。
【００６５】
即ち、フィルタ１３は、図２に示すように、その後端１３ｄが上記掃除ユニットケーシング１４の後端部に位置し、その前端１３ｃが第１プーリ１１の近傍に位置するような配置状態を基本とする。この配置状態は、通常の空調運転時における位置であり、以下、これを「第１フィルタ位置」という。尚、この「第１フィルタ位置」は図６に拡大図示する状態である。
【００６６】
これに対して、フィルタ１３の掃除を行なう掃除運転時には、第１プーリ１１が正転（各図において左回転）する。すると、ベルト１０が左回転方向に走行し、フィルタ１３を上記「第１フィルタ位置」（図６の状態）から図８に鎖線図示（符号１３′）するようにベルト１０とともに第１プーリ１１の外側を迂回して第２プーリ１２側に移動し、さらに該第２プーリ１２を越えて図７に示すようにフィルタ後端１３ｄが第１プーリ１１の下部にある掃除ブラシ１７に対応する位置まで移動する。以下、この時のフィルタ１３の位置（図７の位置）を「第２フィルタ位置」という。又、フィルタ１３が図７に示す「第２フィルタ位置」にあるときに第１プーリ１１が逆転（右回転）すると、ベルト１０が右回転方向へ走行することで、該フィルタ１３はベルト１０とともに「第２フィルタ位置」（図７の位置）から「第１フィルタ位置」（図６の位置）まで戻される。
【００６７】
そして、このようにフィルタ１３が「第１フィルタ位置」と「第２フィルタ位置」の間で往復動する際に、掃除ブラシ１７によってフィルタ１３の表面に捕集されたゴミが掻き落とされ、該フィルタ１３のゴミ捕集機能が再生される。
【００６８】
この実施形態では、ベルトユニットＵの各プーリ１１，１２及びベルト１０は、図４〜図８に示すように、それぞれ歯付きのもので、所謂タイミングベルト方式のものが使用されている。このようにベルトユニットＵとしてタイミングベルト方式のものを採用すると、各プーリ１１，１２とベルト１０とが滑らなくなり、且つ同軸駆動とすることにより左右の各プーリ１０，１０を確実に同期走行させることができる。
【００６９】
ところで、ベルトユニットＵのベルト１０は比較的薄いものであり、従ってベルト１０に形成されている係合穴４７は浅いものである（ベルト厚さだけの深さしかない）。又、該ベルト１０は各プーリ１１，１２の外周面に接触しているので、もし係合穴４７がプーリ外周面に接触する位置にあると、該係合穴４７に係入するフィルタ１３側の係合突起４８の先端がプーリ外周面に衝突するので、該係合突起４８の係合穴４７に対する係入深さが非常に浅いものとなり、該係合突起４８の係合穴４７に対する係合機能が小さくなる（係合突起４８が係合穴４７から外れ易くなる）。
【００７０】
そこで、本願では、各プーリ（歯付きプーリ）１１，１２のベルト掛け面におけるベルト１０の係合穴４７が対応する位置に係合突起４８の先端を進入させ得る凹部５１を形成しており、係合穴４７に係入する係合突起４８が各プーリ１１，１２のベルト掛け面に対面する位置でも該係合突起４８がプーリ１１，１２に衝合しないようにしている。
【００７１】
各プーリ１１，１２に形成される凹部５１として、この実施形態では、各歯付きプーリ１１，１２のプーリ幅中間部にベルト巻掛け面より小径となる環状凹溝を採用している。尚、この環状凹溝５１には、歯は形成されていない。
【００７２】
他方、フィルタ１３に設けられている各係合突起４８は、図８及び図９に拡大図示するように、フィルタ１３（枠材側縁部）がベルト１０の外面に接触した状態で、ベルト１０の係合穴４７を貫通してベルト１０の歯面より内方に突出する長さを有しており、該係合突起４８が各プーリ１１，１２に対面する位置では係合突起４８の先端が環状凹溝５１の外周面にきわめて近接するようになっている。
【００７３】
又、この実施形態では、各プーリ１１，１２の各環状凹溝５１は、図９に示すようにプーリ幅の一端側に偏位した位置に形成している。即ち、この実施形態では、図９に示すように、環状凹溝５１の片側にプーリ幅の約１／２幅Ｗ1の第１ベルト掛け面１１Ａａと該環状凹溝５１の他側にかなり小幅Ｗ2の第２ベルト掛け面１１Ｂａとが形成されている。尚、図９には第１プーリ１１部分を示しているが、第２プーリ１２は第１プーリ１１よりやや小径であるものの、該第１プーリ１１と同構造に形成されている。
【００７４】
そして、この左右のベルトユニットＵ，Ｕにおいて、第１及び第２の各プーリ１１，１２は、図４に示すように環状凹溝５１が近接する端部側がそれぞれ内側（相互に対面する側）に向く姿勢で配置している。この場合、左右の各ベルト１０に形成されている各係合穴４７も、左右のプーリの各環状凹溝５１の位置に合わせてそれぞれベルト幅の内方寄り位置に形成されている。
【００７５】
又、この実施形態では、第１プーリ１１及び第２プーリ１２は、それぞれ図１０に示すように、環状凹溝５１の形成部分でプーリ幅方向に２分割した第１分割プーリ体１１Ａ（１２Ａ）と第２分割プーリ体１１Ｂ（１２Ｂ）とを合体させたものを使用している。尚、図１０には第１プーリ１１を示しているが、第２プーリ１２も第１プーリ１１と同様に２分割したもの（図５の符号１２Ａ，１２Ｂ）を合体させている。そして、この両分割プーリ体１１Ａ，１１Ｂは、第２分割プーリ体１１Ｂに設けた係合爪１１Ｂｂ，１１Ｂｂ（図１０参照）を第１分割プーリ体１１Ａの爪受部（図示省略）に嵌合させることで合体される。尚、この実施形態では、第１分割プーリ体１１Ａ（１２Ａ）が広幅で、第２分割プーリ体１１Ｂ（１２Ｂ）が狭幅に形成されている。又、この実施形態では、環状凹溝５１は第１分割プーリ体１１Ａ（１２Ａ）側に形成しているが、該環状凹溝５１は第２分割プーリ体１１Ｂ（１２Ｂ）側に形成してもよい。
【００７６】
この実施形態のフィルタ掃除機構Ｙ（フィルタ１３と各ベルトユニットＵ）は、上記のように構成されているので、次のような作用がある。
【００７７】
まず、この実施形態の空気調和機では、フィルタ自動掃除機構を備えたものであっても、フィルタ１３側の係合突起４８を各ベルト１０の係合穴４７から外すことによってフィルタ１３をベルトユニットＵに対して簡単に着脱できる。尚、フィルタ１３を外部に取り外すときにき、フィルタ押さえ４３を外側に開放させて行う。
【００７８】
又、ベルトユニットＵにおける各プーリ１１，１２のベルト掛け面に、フィルタ１３側の係合穴４７の先端が進入し得る凹部（環状凹溝）５１を設けているので、係合穴４７に係入する係合突起４８が各プーリ１１，１２のベルト掛け面に対面する位置でも該係合突起４８がプーリ１１，１２に衝合しない。従って、フィルタ１３側の係合突起４８をベルト１０の係合穴４７に対して十分な係合機能が発揮できる深さまで進入させることができ、その結果、係合突起４８が係合穴４７から外れないので、フィルタ１３を確実に移動させることができる。
【００７９】
又、ベルトユニットＵとして、各プーリ１１，１２にそれぞれ歯付きプーリを使用する一方、ベルト１０に上記歯付きプーリに噛み合う歯付きベルトを使用しているので、両方の歯の噛み合いにより各プーリ１１，１２とベルト１０間の滑りがなくなり、左右各側のベルト１０を確実に同期走行させることができる。その結果、各側のベルト１０，１０に係合されて移動するフィルタ１３に捩れが生じることがなく、該フィルタ１３を常に正常姿勢で移動させることができる。
【００８０】
又、各プーリ１１，１２の環状凹溝５１をプーリ幅の中間部に設けているので、該環状凹溝５１の両側にベルト掛け面（図９の第１プーリ１１では符号１１Ａａ，１１Ｂａ）が存在し、各プーリ１１，１２のベルト掛け面に環状凹溝５１を形成したものであっても、ベルト１０を環状凹溝５１の両側のベルト掛け面（１１Ａａ，１１Ｂａ）に跨がって掛けることができ、該ベルト１０を各プーリ１１，１２に対して安定状態で掛け回すことができる。
【００８１】
又、各プーリ１１，１２の環状凹溝５１をプーリ幅方向の一端側に偏位させ、左右の各ベルトユニットＵにおける各プーリ１１，１２を、環状凹溝５１が近接する側の端面がそれぞれ内側に向く状態で設置している（左右の各ベルト１０の係合穴４７もそれぞれ内側寄りに位置する）ので、フィルタ１３の左右各側縁部（枠体側縁部１３ｅ，１３ｆ）に設けられる各側の係合突起４８がそれぞれベルト幅の内側寄り位置に係入するようになり、該フィルタ１３の左右各側縁部と各ベルト１０との重合幅を小さくできる。従って、ベルト幅で塞がれるフィルタ１３の重合面積を小さくでき、その結果、フィルタ１３の実質有効フィルタ面積を大きくとることができる。
【００８２】
又、各プーリ１１，１２は、環状凹溝５１の形成部分でプーリ幅方向に２分割された各分割プーリ１１Ａ，１１Ｂ（１２Ａ，１２Ｂ）を合体させたものを使用しているが、このようにすると、各プーリ１１，１２のベルト掛け面に環状凹溝５１を形成したものであっても、該環状凹溝５１を一方の分割プーリ１１Ａ（又は１１Ｂ）の端面に形成することができる。従って、プーリ幅の中間部に環状凹溝５１を形成したものであっても該環状凹溝５１の加工が簡単となる。特に、プーリとして歯付きプーリを採用したものでは、プーリ幅の中間部に環状凹溝５１を加工するのが面倒であるが、２分割した一方の分割プーリ１１Ａの端面に環状凹溝５１を形成する場合には、その環状凹溝５１の加工が容易となる。
【００８３】
ところで、上述のように、第１プーリ１１と第２プーリ１２の間に掛け回されたベルト１０にフィルタ１３を係合させてこれを移動させる構成を採る場合において、該フィルタ１３の移動作用を常時適正に保持することが必要であり、係る適正な移動作用を担保するには各プーリ１１，１２とベルト１０の間において歯飛び現象が生じるのを防止することが必要となる。このような歯飛び現象を防止するために、この実施形態では次述のように、左右の各ベルトユニットＵがそれぞれ対応する掃除ユニットケーシング１４の側壁部１５、１６のそれぞれに規制手段Ｐを設けている。
【００８４】
この実施形態では、上記規制手段Ｐとして、図５に示すように、ベルト１０（左右一対ある）における第１プーリ１と第２プーリ１２に掛け回された部分の外側近接位置に壁体４０（左右一対ある）を設けたものを採用している。この壁体４０は、ベルト１０の幅方向外端寄りの一部の幅を覆っていて、ベルト１０が各プーリ１１，１２から浮き上がろうとするときの押さえとして機能する。
【００８５】
又、この壁体４０（左右一対ある）には、フィルタ１３の側縁部の外面に近接する位置において内方側に向くフィルタガイド４１が延設されている。このフィルタガイド４１は、フィルタ側縁部の押さえとなり、該フィルタ側縁部を介してベルト１０が各プーリ１１，１２から浮き上がるのを防止し得る機能がある。
【００８６】
このように、上記規制手段Ｐ（壁体４０及びフィルタガイド４１）を設けることにより、フィルタ掃除時に各ベルト１０及びフィルタ１３をそれぞれ一層安定した姿勢で移動させることができる。
【００８７】
尚、上記実施形態では、壁掛型の空気調和機（室内機）を例にとって説明したが、本願発明はこれに限定されるものではなく、例えば、天井埋込型、床置型等の空気調和機にも適用できることは言うまでもない。
【図面の簡単な説明】
【００８８】
【図１】本願発明の実施形態に係る空気調和機の外観斜視図である。
【図２】図１のII−II拡大断面図である。
【図３】図１に示す空気調和機におけるケーシングを取外した状態の外観斜視図である。
【図４】図１の空気調和機に使用されているフィルタ駆動構造部分の概略斜視図である。
【図５】図４のフィルタ駆動構造部分の詳細断面図である。
【図６】図２の一部拡大図である。
【図７】図６からの状態変化図（フィルタ掃除状態図）である。
【図８】図６のベルトユニット部分の拡大図である。
【図９】図８のIX−IX矢視図である。
【図１０】図９の歯付きプーリの分割状態を示す図である。
【符号の説明】
【００８９】
１はケーシング、２は前面パネル、３は吸込口、４は吹出口、７は熱交換器、８はファン、１０はベルト（歯付きベルト）、１１は第１プーリ（歯付きプーリ）、１２は第２プーリ（歯付きプーリ）、１３はフィルタ、１４は掃除ユニットケーシング、１７は掃除ブラシ、２０はダストボックス、４７は係合穴、４８は係合突起、５１は凹部（環状凹溝）、Ｘは空調機構、Ｙは掃除機構、Ｚは空気調和機である。
【図１】
2008089210.tif 000003
【図２】
2008089210.tif 000004
【図３】
2008089210.tif 000005
【図４】
2008089210.tif 000006
【図５】
2008089210.tif 000007
【図６】
2008089210.tif 000008
【図７】
2008089210.tif 000009
【図８】
2008089210.tif 000010
【図９】
2008089210.tif 000011
【図１０】
2008089210.tif 000012